(57)【要約】  第１の等級付けふるい（１０）上で水が追加される供給材料から網上材料を除去するステップであって、これによって、前記網上材料は、前記第１の等級付けふるい（１０）の開口デッキの下流端を通過し、前記開口デッキを通過する網下材料および水は、第１の等級付けふるい（１０）のデッキの開口より小さいサイズの開口を有する第２の等級付けふるい（３０）の開口デッキに渡される前に、第１の等級付けふるい（１０）の水だめ（１８）に収集され、網上材料は、第２の等級付けふるい（３０）の下流端を通過する、除去するステップと、そこから微細な汚染物質を除去するために水および網下材料を第２の等級付けふるい（３０）の水だめ（３８）から洗浄ステージにポンプで汲み出すステップとを含む、砂を等級付けし、洗浄する方法。【選択図】図１
2021519207.tif 000002
【特許請求の範囲】
【請求項１】
第１の等級付けふるい上で水が追加される供給材料から網上材料を除去するステップであって、これによって、前記網上材料は、前記第１の等級付けふるいの開口デッキの下流端を通過し、前記開口デッキを通過する網下材料および水は、前記第１の等級付けふるいのデッキの開口より小さいサイズの開口を有する第２の等級付けふるいの開口デッキに渡される前に、前記第１の等級付けふるいの水だめに収集され、網上材料は、前記第２の等級付けふるいの下流端を通過する、除去するステップと、そこから微細な汚染物質を除去するために水および網下材料を前記第２の等級付けふるいの水だめから洗浄ステージにポンプで汲み出すステップとを含む、砂を等級付けし、洗浄する方法。
【請求項２】
前記洗浄ステージは、水および網下材料を前記第２の等級付けふるいの水だめから１つまたは複数の液体サイクロンに渡すステップであって、これによって、結果の脱水された材料を砂製品として収集する前に、脱水ふるいのデッキ上で前記１つまたは複数の液体サイクロンからのアンダーフローを脱水する前に、そこから微細な汚染物質を洗浄し、除去する、渡すことを含む、請求項１に記載の方法。
【請求項３】
前記洗浄ステージは、水および網下材料を前記第２の等級付けふるいの水だめから第１の液体サイクロンを介して逆流分類ユニットに渡すことと、前記逆流分類ユニットからのアンダーフローを第１の脱水ふるいのデッキに渡すことと、網下材料および水を前記第１の脱水ふるいの水だめから第２の液体サイクロンに渡すことと、前記第１の脱水ふるいのデッキからの結果の脱水された網上材料を第１の砂製品として収集する前に、前記第２の液体サイクロンからのアンダーフローを前記第１の脱水ふるいのデッキに渡すこととを含む、請求項１に記載の方法。
【請求項４】
前記逆流分類ユニットからのオーバーフローを第２の脱水ふるいの水だめに渡すステップと、材料および水を前記第２の脱水ふるいの前記水だめからさらなる液体サイクロンにポンプで汲み出すステップと、前記第２の脱水ふるいのデッキからの結果の脱水された網上材料を第２の砂製品として収集する前に、前記さらなる液体サイクロンからのアンダーフローを前記第２の脱水ふるいの前記デッキに渡すステップとをさらに含む、請求項３に記載の方法。
【請求項５】
網上材料を前記第１の等級付けふるいと前記第２の等級付けふるいとの両方から共通のコンベヤに渡すステップをさらに含む、請求項１から４のいずれか１項に記載の方法。
【請求項６】
網上材料を前記第１の等級付けふるいと前記第２の等級付けふるいとの両方から別々のコンベヤに渡すステップをさらに含む、請求項１から４のいずれか１項に記載の方法。
【請求項７】
シャーシと、供給材料から網上材料を除去するために前記シャーシ上に取り付けられた第１の等級付けふるいであって、前記第１の等級付けふるいは、開口デッキと、前記デッキ上の材料に水を供給する手段と、前記デッキを通過する網下材料および水を受ける、その下の水だめとを含み、網上材料は、前記デッキの下流端を通過する、第１の等級付けふるいと、前記シャーシ上に取り付けられた第２の等級付けふるいであって、開口デッキであって、前記開口は前記第１の等級付けふるいのデッキの開口よりサイズにおいて小さい、開口デッキと、前記デッキ上の材料に水を供給する手段と、前記デッキを通過する網下材料および水を受ける、その下の水だめとを含み、網上材料は、前記デッキの下流端を通過する、第２の等級付けふるいとを含み、前記第２の等級付けふるいの前記水だめに収集された網下材料は、砂製品として収集される前に洗浄ステージに渡される、砂を等級付けし、洗浄する装置。
【請求項８】
前記第１の等級付けふるいおよび前記第２の等級付けふるいは、お互いに隣接して配置され、前記第１の等級付けふるいおよび前記第２の等級付けふるいの前記デッキの前記下流端を通過する網上材料は、共通のコンベヤに渡されるようになっている、請求項７に記載の装置。
【請求項９】
前記共通のコンベヤは、前記第１の等級付けふるいと前記第２の等級付けふるいとの間で前記シャーシから横に延びる、請求項８に記載の装置。
【請求項１０】
前記第１の等級付けふるいおよび前記第２の等級付けふるいの前記デッキの前記下流端を通過する網上材料は、それぞれの第１のコンベヤおよび第２のコンベヤに渡される、請求項７に記載の装置。
【請求項１１】
前記第１のコンベヤおよび前記第２のコンベヤは、前記第１の等級付けふるいと前記第２の等級付けふるいとの間で、前記シャーシの各側面から横に延びる、請求項１０に記載の装置。
【請求項１２】
前記第２の等級付けふるいは、その上の砂を等級付けする、第１の端から第２の端へ下向きに傾いた上流セクションおよびその上の材料を脱水する下流セクションを有する組み合わされた等級付けおよび脱水ふるいを含み、前記デッキの前記上流セクションは、前記デッキ上の材料の移動の通常方向に関する水平に対して第１の角度で下向きに傾けられ、前記下流セクションは、実質的に水平に配置されまたは前記デッキ上の材料の移動の通常方向に関する水平に対して第２の角度で上向きに傾けられ、使用中に、材料および水は、前記上流セクションの第１の端でまたはこれに隣接して前記デッキに配送され得、網下材料は、前記上流セクション内の開口を通過し、網上材料は、前記デッキの前記下流セクションに渡される前に作用重力の下で前記デッキの前記上流セクションの上で運ばれ、これによって、前記網上粒子は脱水される、請求項７から１１のいずれか１項に記載の装置。
【請求項１３】
第１のポンプは、水に混入された材料を前記第１の等級付けふるいの前記水だめから前記第２の等級付けふるいの前記デッキにポンプで汲み出すために設けられる、請求項７から１２のいずれか１項に記載の装置。
【請求項１４】
前記洗浄ステージは、前記第２の等級付けふるいの前記水だめからの網下材料および水を受ける１つまたは複数の液体サイクロンを含み、前記１つまたは複数の液体サイクロンからのアンダーフローは、前記１つまたは複数の液体サイクロンがその上に取り付けられる脱水ふるいに配送される、請求項７から１３のいずれか１項に記載の装置。
【請求項１５】
第２のポンプは、水に混入された材料を第２のふるいの前記水だめから前記１つまたは複数の液体サイクロンにポンプで汲み出すために設けられる、請求項１４に記載の装置。
【請求項１６】
さらなる液体サイクロンは、前記脱水ふるいの上に取り付けられ、前記さらなる液体サイクロンは、水に混入された材料を前記脱水ふるいの前記水だめから受け、前記さらなる液体サイクロンからのおよびアンダーフローを前記脱水ふるいの前記デッキに配送する、請求項１４または請求項１５に記載の装置。
【請求項１７】
前記１つまたは複数の液体サイクロンおよび請求項１６に従属する時のさらなる液体サイクロンからのオーバーフローの少なくとも一部は、前記第１の等級付けスクリーンおよび前記第２の等級付けスクリーンの前記水だめならびに／または前記第１の等級付けスクリーンおよび／もしくは前記第２の等級付けスクリーンの前記デッキもしくはその上流の材料に配送される、請求項１４から１６のいずれか１項に記載の装置。
【請求項１８】
前記洗浄ステージは、第１の液体サイクロンを介して前記第２の等級付けふるいの前記水だめから網下材料および水を受ける逆流分類ユニットを含み、前記逆流分類ユニットからのアンダーフローは、第１の脱水ふるいのデッキに通過し、網下材料および水は、前記第１の脱水ふるいの水だめから第２の液体サイクロンに渡され、前記第２の液体サイクロンからのアンダーフローは、前記第１の脱水ふるいの前記デッキによって受けられ、前記第１の脱水ふるいの前記デッキからの結果の脱水された網上材料は、第１の砂製品として収集される、請求項７から１３のいずれか１項に記載の装置。
【請求項１９】
デッキおよびその下の水だめを有する第２の脱水ふるいをさらに含み、前記逆流分類ユニットのオーバーフローは、前記第２の脱水ふるいの前記水だめによって受けられ、前記第２の脱水ふるいの前記水だめからの材料および水は、さらなる液体サイクロンにポンプによって汲み出され、前記さらなる液体サイクロンからのアンダーフローは、前記第２の脱水ふるいの前記デッキに通過し、前記第２の脱水ふるいの前記デッキからの結果の脱水された網上材料は、第２の砂製品として収集される、請求項１８に記載の装置。
【請求項２０】
供給ボックスは、前記第２の等級付けふるいへの前記材料の流れを制御するために、前記第２の等級付けふるいの前記デッキへの材料および水の配送のために前記第２の等級付けふるいの幅にまたがって延びて設けられる、請求項７から１９のいずれか１項に記載の装置。
【請求項２１】
前記第１の等級付けふるいおよび前記第２の等級付けふるいのそれぞれは、弾力性のある取付け手段を介して前記シャーシに取り付けられ、骨材を等級付けし、脱水するためにその中に複数の開口を有するふるい分け表面をその中に取り付けられるフレームを含み、前記フレームは、前記フレームに振動を与える振動生成手段と、そこから水および網下材料を受ける、前記ふるい分け表面の下の水だめとを設けられる、請求項７から２０のいずれか１項に記載の装置。
【発明の詳細な説明】
【技術分野】
【０００１】
本発明は、砂の等級付けおよび洗浄の方法および装置に関し、具体的には、特にコンパクトで効率的な形で砂を等級付けし、洗浄する方法および装置に関する。
【背景技術】
【０００２】
骨材は、砂、砂利、および砕石を含む、建築に使用される粗粒子材料の主要なカテゴリである。骨材は、世界で最も採鉱されている材料である。用語「砂」は、通常、０．０７５ｍｍと４．７５ｍｍとの間の粒子砂を有する骨材を包含し、用語「砂利」は、通常、４．７５ｍｍと７６．２ｍｍとの間の粒子サイズを有する骨材を包含する。骨材は、通常、所定の粒子サイズまたは粒子サイズの範囲を有する洗浄された骨材製品を作るために、振動ふるいおよび液体サイクロンの組合せで洗浄され、等級付けされる。
【０００３】
通常の振動ふるいは、横に延びる橋渡しする部材によって相互接続された実質的に平行の側壁の対によって画定されたフレームを含み、このフレームには、水および網下粒子が通過する小さい開口部またはスロットを有するポリウレタン・デッキが取り付けられる。フレームは、通常、弾力性のあるリンケージを介して基部に取り付けられ、フレームは、したがってデッキは、通常、円のまたは往復運動する振動する動きをデッキに与えるために１つまたは複数の駆動モーターによって駆動される偏心質量を画定する逆回転するローターの対によって振動を与えられる。そのようなふるいは、骨材の等級付けおよび／または脱水に使用され得、ふるいのデッキの上を通過する網上材料は、ふるいの下流端から収集され、水および網下材料は、後続処理のためにふるいの水だめで収集される。
【０００４】
液体サイクロンは、流体抵抗に対する求心力の比に基づいて液体懸濁液内の粒子を分離するのに使用されるデバイスである。この比は、粗粒子では高く、微粒子では低い。液体サイクロンは、通常、供給スラリを液体サイクロンに接線方向に供給する入口を有する円筒形セクションと、円錐形の基部とを含む。出口が、液体サイクロンの上端および下端に設けられる。より粗の部分を含むアンダーフローは、下側出口から出、より微細な部分および水のほとんどを含むオーバーフローは、液体サイクロンの上端の出口から出る。
【０００５】
ほとんどの骨材等級付けおよび洗浄プラントは、非常に大きく、複数の等級付けふるいおよび脱水ふるいと液体サイクロンとを含む異なるステージを含み、通常は、プロセスの各ステージで材料を流動化し、プロセスの異なるステージと流動化された材料を転送する複数のポンプとの間で材料を転送し、装置の異なるステージと廃棄物および／または砂もしくは骨材製品を備蓄に転送する複数のコンベヤとの間で水を転送するために、大量の水を必要とする。そのようなプラントは、かなりの設置時間を必要とし、ある場所に設置された後に簡単に移動可能ではない。
【０００６】
本発明の目的は、たとえばフラック・サンドまたはガラス砂として使用される非常に特定の範囲の粒子サイズの少なくとも１つの洗浄された砂製品を作ることができ、場所の間で簡単に移動可能である、特にコンパクトでポータブルで適合可能な装置およびその動作の方法を提供することである。
【発明の概要】
【０００７】
本発明の第１の態様によれば、第１の等級付けふるい上で水が追加される供給材料から網上材料を除去するステップであって、これによって、前記網上材料は、前記第１の等級付けふるいの開口デッキの下流端を通過し、前記開口デッキを通過する網下材料および水は、第１の等級付けふるいのデッキの開口より小さいサイズの開口を有する第２の等級付けふるいの開口デッキに渡される前に、第１の等級付けふるいの水だめに収集され、網上材料は、第２の等級付けふるいの下流端を通過する、除去するステップと、そこから微細な汚染物質を除去するために水および網下材料を第２の等級付けふるいの水だめから洗浄ステージにポンプで汲み出すステップとを含む、砂を等級付けし、洗浄する方法が提供される。
【０００８】
一実施形態では、前記洗浄ステージは、水および網下材料を第２の等級付けふるいの水だめから１つまたは複数の液体サイクロンに渡すステップであって、これによって、結果の脱水された材料を砂製品として収集する前に、脱水ふるいのデッキ上で前記１つまたは複数の液体サイクロンからのアンダーフローを脱水する前に、そこから微細な汚染物質を洗浄し、除去する、渡すステップを含むことができる。
【０００９】
代替実施形態では、洗浄ステージは、水および網下材料を第２の等級付けふるいの水だめから第１の液体サイクロンを介して逆流分類ユニットに渡すステップと、逆流分類ユニットからのアンダーフローを第１の脱水ふるいのデッキに渡すことと、網下材料および水を第１の脱水ふるいの水だめから第２の液体サイクロンに渡すステップと、第１の脱水ふるいのデッキからの結果の脱水された網上材料を第１の砂製品として収集する前に、第２の液体サイクロンからのアンダーフローを第１の脱水ふるいのデッキに渡すこステップを含むことができる。洗浄ステージは、逆流分類ユニットからのオーバーフローを第２の脱水ふるいの水だめに渡すステップと、材料および水を第２の脱水ふるいの前記水だめからさらなる液体サイクロンにポンプで汲み出すステップと、第２の脱水ふるいのデッキからの結果の脱水された網上材料を第２の砂製品として収集する前に、さらなる液体サイクロンからのアンダーフローを第２の脱水ふるいのデッキに渡すステップとをさらに含むことができる。
【００１０】
この方法は、網上材料を第１の等級付けふるいと第２の等級付けふるいとの両方から共通のコンベヤに渡すステップをさらに含むことができる。代替案では、この方法は、網上材料を第１の等級付けふるいと第２の等級付けふるいとの両方から別々のコンベヤに渡すステップをさらに含むことができる。
【００１１】
本発明のさらなる態様によれば、シャーシと、供給材料から網上材料を除去するためにシャーシ上に取り付けられた第１の等級付けふるいであって、前記第１の等級付けふるいは、開口デッキと、デッキ上の材料に水を供給する手段と、デッキを通過する網下材料および水を受ける、その下の水だめとを含み、網上材料は、デッキの下流端を通過する、第１の等級付けふるいと、シャーシ上に取り付けられた第２の等級付けふるいであって、開口デッキであって、前記開口は第１の等級付けふるいのデッキの開口よりサイズにおいて小さい、開口デッキと、デッキ上の材料に水を供給する手段と、デッキを通過する網下材料および水を受ける、その下の水だめとを含み、網上材料は、デッキの下流端を通過する、第２の等級付けふるいとを含み、第２の等級付けふるいの水だめに収集された網下材料は、砂製品として収集される前に洗浄ステージに渡される、砂を等級付けし、洗浄する装置が提供される。
【００１２】
一実施形態では、第１の等級付けふるいおよび第２の等級付けふるいは、お互いに隣接して配置され得、第１の等級付けふるいおよび第２の等級付けふるいのデッキの下流端を通過する網上材料は、共通のコンベヤに渡されるようになっている。共通のコンベヤは、第１の等級付けふるいと第２の等級付けふるいとの間でシャーシから横に延びることができる。
【００１３】
代替実施形態では、第１の等級付けふるいおよび第２の等級付けふるいのデッキの下流端を通過する網上材料は、それぞれの第１のコンベヤおよび第２のコンベヤに渡され得る。第１のコンベヤおよび第２のコンベヤは、第１の等級付けふるいと第２の等級付けふるいとの間で、シャーシの各側面から横に延びることができる。
【００１４】
第２の等級付けふるいは、その上の砂を等級付けする、第１の端から第２の端へ下向きに傾いた上流セクションおよびその上の材料を脱水する下流セクションを有する組み合わされた等級付けおよび脱水ふるいを含むことができ、デッキの上流セクションは、デッキ上の材料の移動の通常方向に関する水平に対して第１の角度で下向きに傾けられ、下流セクションは、実質的に水平に配置されまたはデッキ上の材料の移動の通常方向に関する水平に対して第２の角度で上向きに傾けられ、使用中に、材料および水は、上流セクションの第１の端でまたはこれに隣接してデッキに配送され得、網下材料は、上流セクション内の開口を通過し、網上材料は、デッキの下流セクションに渡される前に作用重力の下でデッキの上流セクションの上で運ばれ、これによって、網上粒子は脱水される。
【００１５】
第１のポンプは、材料（水に混入された）を第１の等級付けふるいの水だめから第２の等級付けふるいのデッキにポンプで汲み出すために設けられ得る。
【００１６】
一実施形態では、洗浄ステージは、第２の等級付けふるいの水だめからの網下材料および水を受ける１つまたは複数の液体サイクロンを含むことができ、前記１つまたは複数の液体サイクロンからのアンダーフローは、１つまたは複数の液体サイクロンがその上に取り付けられる脱水ふるいに配送される。第２のポンプは、材料（水に混入された）を第２のふるいの水だめから１つまたは複数の液体サイクロンにポンプで汲み出すために設けられ得る。さらなる液体サイクロンは、脱水ふるいの上に取り付けら得、前記さらなる液体サイクロンは、材料（水に混入された）を脱水ふるいの水だめから受け、さらなる液体サイクロンからのおよびアンダーフローを脱水ふるいのデッキに配送する。前記１つまたは複数の液体サイクロンおよび提供される時のさらなる液体サイクロンからのオーバーフローの少なくとも一部は、第１の等級付けスクリーンおよび第２の等級付けスクリーンの水だめならびに／または第１の等級付けスクリーンおよび／もしくは第２の等級付けスクリーンのデッキもしくはその上流の材料に配送され得る。
【００１７】
代替実施形態では、洗浄ステージは、第１の液体サイクロンを介して第２の等級付けふるいの水だめから網下材料および水を受ける逆流分類ユニットを含むことができ、逆流分類ユニットからのアンダーフローは、第１の脱水ふるいのデッキに通過し、網下材料および水は、第１の脱水ふるいの水だめから第２の液体サイクロンに渡され、第２の液体サイクロンからのアンダーフローは、第１の脱水ふるいのデッキによって受けられ、第１の脱水ふるいのデッキからの結果の脱水された網上材料は、第１の砂製品として収集される。
【００１８】
デッキおよびその下の水だめを有する第２の脱水ふるいが、さらに設けられ得、逆流分類ユニットのオーバーフローは、第２の脱水ふるいの水だめによって受けられ、第２の脱水ふるいの前記水だめからの材料および水は、さらなる液体サイクロンにポンプによって汲み出され、さらなる液体サイクロンからのアンダーフローは、第２の脱水ふるいのデッキに通過し、第２の脱水ふるいのデッキからの結果の脱水された網上材料は、第２の砂製品として収集される。
【００１９】
供給ボックスは、第２の等級付けふるいへの前記材料の流れを制御するために、第２の等級付けふるいのデッキへの材料および水の配送のために第２の等級付けふるいの幅にまたがって延びて設けられ得る。
【００２０】
前記第１の等級付けふるいおよび前記第２の等級付けふるいのそれぞれは、弾力性のある取付け手段を介してシャーシに取り付けられ、骨材を等級付けし、脱水するためにその中に複数の開口を有するふるい分け表面をその中に取り付けられるフレームを含むことができ、前記フレームは、前記フレームに振動を与える振動生成手段と、そこから水および網下材料を受ける、ふるい分け表面の下の水だめとを設けられる。
【００２１】
第１、第２、およびさらなる液体サイクロンまたはそのそれぞれは、並列に配置された２つ以上のサイクロンを含むことができる。
【００２２】
本発明の実施形態による砂を等級付けし、洗浄する方法および装置を、添付図面を参照してこれから説明する。
【図面の簡単な説明】
【００２３】
【図１】本発明の実施形態による、砂を等級付けし、洗浄する方法を示す概略流れ図である。
【図２】本発明の実施形態による、砂を等級付けし、洗浄する方法を示す透視図である。
【図３】図２の装置を示す端面図である。
【図４】図２の装置を示す側面図である。
【図５】図２の装置を示すさらなる側面図である。
【図６】図２の装置を示す平面図である。
【図７】本発明のさらなる実施形態による、砂を等級付けし、洗浄する方法を示す概略流れ図である。
【発明を実施するための形態】
【００２４】
本発明の実施形態による砂を等級付けし、洗浄する方法を、図１に示す。
【００２５】
この方法は、網上の材料およびごみが、水が第１の等級付けふるい１０上で追加される供給材料から除去され、網下材料および水が、第２の等級付けステージ内で第２の等級付けふるい３０の開口デッキに渡される前に前記開口デッキを介して第１の等級付けふるい１０の水だめに集められる間に、網上材料が、前記第１の等級付けふるいの開口デッキの下流端の上を通過し、前記第２の等級付けふるい３０は、第１の等級付けふるいのデッキの開口部より小さいサイズの開口部を有し、網上材料は、第２の等級付けふるい３０の下流端の上を通過する、第１の等級付けステージを含む。水および網下材料は、第２の等級付けふるい３０の水だめから１つまたは複数の液体サイクロン４０にポンプで汲み上げられ、これによって、そこから微細な汚染物質を洗浄し、除去し、前記１つまたは複数の液体サイクロンからのアンダーフローは、結果の脱水された材料を砂製品として収集する前に、脱水ふるい５０のデッキ上で脱水される。
【００２６】
第２の等級付けステージを、組み合わされた等級付けおよび脱水ふるい２０上で実行することができる。
【００２７】
図１に示された実施形態では、第１および第２の等級付けふるい１０、３０は、第１および第２の等級付けふるい１０、３０からの網上材料が共通のコンベヤ２０に配送されるように、その吐出端がお互いに面する状態でお互いに隣接して取り付けられる。代替案では、第１および第２の等級付けふるいからの網上材料を、おそらくは１つまたは２つの別々のさらなる製品としての備蓄のために、それぞれの別々のふるいに渡すことができる。
【００２８】
図１に示された実施形態では、第２の等級付けふるいからのアンダーフローは、さらなる微細な汚染を除去するためにさらなる液体サイクロン６０に渡され、前記さらなる液体サイクロンからのアンダーフローは、第２の等級付けふるいのデッキに配送される。
【００２９】
第１および第２の液体サイクロンからのオーバーフローは、リサイクルされ、その含水量を制御するために第１および第２のふるい上の材料ならびに／または第１および第２のふるいの水だめに供給される。
【００３０】
本発明の実施形態による骨材を等級付けし、洗浄する装置を、図面に示す。
【００３１】
この装置は、横橋渡し部材によってリンクされた離隔された細長いシャーシ部材を含む細長いシャーシ２を含む。好ましくは、シャーシ２は、輸送のための標準輸送コンテナおよび／またはトレイラにおさまる寸法を与えられる。
【００３２】
第１の振動等級付けふるい１０は、その上に供給材料を受けるためにシャーシ２の第１の端に取り付けられ、前記第１のふるい１０は、弾力性を有するマウントを介してシャーシ２に取り付けられ、その間に延びる橋渡し部材（図面では隠されている）を有する側板１２、１３の対から形成される。その中に形成された複数のスロットまたは開口を有するポリウレタン・マットを含むデッキ１４が、側板１２、１３の間に取り付けられる。供給材料は、当技術分野で通常であるように、供給ホッパ１５および関連する供給コンベヤ（図示せず）を介して第１のふるい１０に転送され得る。
【００３３】
振動生成手段１６（図７に図示）が、側板１２、１３の間に取り付けられ、デッキ１４に横向きに延びる。振動生成手段は、デッキ１４に横向きに延びる実質的に平行な回転軸の回りの回転のために側板１２、１３の間に取り付けられた支持チューブ内に取り付けられたモータ駆動偏心荷重ローターの対を含むことができる。
【００３４】
１つまたは複数のローターの回転は、ふるい１０に印加される回転するバランスの外れた力を引き起こし、デッキ１４およびその上に担持された材料に振動する動きを与える。そのような振動する動きは、デッキ１４上で担持される材料を攪拌させ、流動させ、デッキの開口部のブロックを防ぎ、デッキ１４上の網上材料をその一体に向かって運ばせると同時に、水および網下材料は、デッキ１４を通過して、ふるい１０のデッキ１４の下の水だめ１８に収集され得る。
【００３５】
ふるい１０の各側板１２、１３は、好ましくは参照によって本明細書に組み込まれているＧＢ  ２５０５４８３で開示されているように、鋼板の積層アセンブリから作られてよい。
【００３６】
スプレイ・バー１９が、その上の材料に水を追加するためにデッキ１４および／または供給ホッパ１５の上に取り付けられる。
【００３７】
第１のふるい１０のデッキ１４は、相対的に大きい開口をその中に形成され、砂、微細な汚染物質、および水は、デッキ１４内の開口を通過することができるが、砂利およびすべての大きい汚染物質は、デッキ１４の上を通って、シャーシ２から横に延びる第１のコンベヤ２０に配送されて、第１の骨材製品としてまたは後の処分のために備蓄に配送される。第１のふるい１０は、供給材料から＋６ｍｍ材料（フラック・サンドの場合）または＋２ｍｍ材料（ガラス製品用のガラス砂の場合）を除去するように適合され得る。
【００３８】
ポンプ２２が、配送パイプ２４を介して第２のふるい３０の入口端に水および網下材料をポンプで汲み出すために、第１のふるい１０のデッキ１４の下の水だめ１８に関連し、第２のふるいは、参照によって本明細書に組み込まれているＧＢ  ２５２４６５１で開示されるものなどの組み合わされた等級付けおよび脱水ふるいを含む。第２のふるい３０は、構成において第１のふるい１０に類似し、側板の対の間に取り付けられたスロット付きマットまたは開口マットを含むデッキ３２を有し、第２のふるい３０は、シャーシ２に弾力的に取り付けられ、その上の材料を攪拌するために振動する動きをデッキに与える振動生成手段を有する。第２のふるい３０のデッキ３２は、第１のふるい１０の開口より小さい開口を有する。
【００３９】
第２のふるい３０のデッキ３２は、第１のふるい１０の水だめ１８からの材料がその上で等級付けされ、網下粒子がスロットを通過し、網上粒子がデッキ上に保持される、等級付けセクションを含む上流セクション３２Ａと、網上粒子を含む砂がその上で脱水される脱水セクションを含む下流セクション３２Ｂとに分割される。共通の水だめ３８が、第２のふるい３０の上流等級付けセクション３２Ａと下流脱水セクション３２Ｂとの両方を通過する水および網下材料を受ける。
【００４０】
供給ボックス３４（ＧＢ  ２５０３８１２で開示されるものなど）が、第１のまたは上流のセクション３２Ａの上端に隣接する第２のふるいのデッキ３２に第１のふるいの水だめ１８からの材料を供給するために、第２のふるい３０のデッキ３２の上端に設けられる。混合物は、供給ボックス３４の側面に設けられた細長いスロットを介して供給ボックス３４からデッキに移る。
【００４１】
デッキ３２の上流等級付けセクション３２Ａは、等級付け動作に適する水平に対する角度で下流脱水セクション３２Ｂに受かって下向きに傾くように配置され、デッキ３２の下流脱水セクション３２Ｂは、脱水動作に適するように下流脱水セクション３２Ｂの吐出端に向かって上向きに傾く浅い上向きの角度で配置される。
【００４２】
上流等級付けセクション３２Ａは、約２５°の下向きの傾斜を有することができ、下流脱水セクション３２Ｂは、約５°の上向きの傾斜を有することができる。
【００４３】
第２のふるい３０は、第１のふるい１０に隣接して配置され、第１および第２の等級付けふるい１０、３０の吐出端は、お互いに面し、第２のふるい３０からの網上材料が、第１のふるい１０からの網上材料と一緒に第１のコンベヤ２０に配送されるようになっており、第１のコンベヤは、第１および第２のふるい１０、３０の間に配置され、シャーシ２からその一側面に横に延び、これによって、特にコンパクトな配置を提供する。
【００４４】
第１の液体サイクロン４０および脱水ふるい５０を含む洗浄ステージが、第１の端の反対の、シャーシ２の第２の端に取り付けられる。第１の液体サイクロン４０は、第２のふるい３０の水だめ３８からの砂を洗浄し、脱水し、沈泥および粘土などの微細な汚染物質を除去する。洗浄された砂および一部の水が、第１の液体サイクロン４０のアンダーフローから排出され、水および微細な汚染物質は、そのオーバーフローから排出される。
【００４５】
第１の液体サイクロン４０は、脱水ふるい５０の上に取り付けられ、第１の液体サイクロン４０からのアンダーフローが、脱水ふるい５０のデッキ５２に配送されるようになっている。脱水ふるい５０のデッキ５２を通過する水および残りの微細な汚染物質は、かつ、デッキ５２の下の水だめ５８に収集される。
【００４６】
さらなる液体サイクロン６０は、要求される場合に砂製品の追加の清浄化を提供するために脱水ふるい５０のデッキ５２にアンダーフローを配送する前に、ポンプ５９を介して脱水ふるい５０の水だめ５８から砂および水のスラリを受けるために、第１の液体サイクロン４０と一緒に、脱水ふるい５０の上に取り付けられ得る。
【００４７】
第１の液体サイクロン４０に加えた第２の液体サイクロン６０の提供は、砂製品からの沈泥などの望まれない微粉の除去を最大化する、二重経路微粉洗浄システムを提供することができる。
【００４８】
収集ホッパ７０は、そこから砂製品を受けるために脱水ふるい４０のデッキ４２の吐出端の下に取り付けられ得る。収集ホッパ７０は、砂製品を適切なコンベヤ（図示せず）に配送するように配置され得る。
【００４９】
第１および第２の液体サイクロン３０、６０の両方からのオーバーフローの少なくとも一部を、ポンプ２２、３９、５９の効率的な動作を可能にするための水だめ１８、３８、５８内の材料の十分な含水量を維持する必要に応じて、第１および第２のふるい１０、３０の水だめ１８、３８ならびに／または脱水ふるい５０の水だめ５８に渡すことができる。液体サイクロン３０、６０からのオーバーフローの残りの部分を、濃縮槽または沈澱池へを介して洗浄された後にスプレイ・バーを介して第１および第２のふるい１０、３０ならびに／または脱水ふるい５０に渡すことができ、沈泥および他の微細な汚染物質を除去して、水を再利用することを可能にすることができる。
【００５０】
取り外し可能な通路８０を、装置の保守および動作を容易にするためにシャーシ２の一側面に取り付けることができる。
【００５１】
脱水ふるい５０を、等級付けふるいを第１および第２のふるい分け領域に分離する縦に延びる分割壁を有する分割ふるいとして構成可能とすることができる。前記第１の液体サイクロン４０からのアンダーフローを、脱水ふるい５０の第１のふるい分け領域に配送されるように構成することができ、前記第２の液体サイクロン６０からのアンダーフローの少なくとも一部を、脱水ふるい５０の前記第２のふるい分け領域に配送されるように構成することができる。
【００５２】
代替実施形態では、分類プロセスなど、さらなるプロセスを、洗浄ステージの上流に設けることができる。たとえば、図７に示されているように、逆流分類ユニット７０を、さらなるサイクロン７２のアンダーフローを介して第２のふるいの水だめ３８から材料および水を受けるために洗浄ステージの上流に配置することができる。そのような分類プロセスを使用して、さらなる製品を作り、かつ／または洗浄ステージに渡される砂製品から高密度または低密度の汚染物質を除去することができる。
【００５３】
図７に示されているように、逆流分類ユニット７０の下端で重力の下で沈澱する重い材料を、脱水ふるい７６のデッキ７４に渡すことができ、ふるい７６の水だめ７８に収集された水および網下材料は、ふるい７６のデッキ７４からの脱水された網上材料が第１の砂製品として備蓄に移る前に、アンダーフローがふるい７６のデッキ７４に戻る前に、液体サイクロンにポンプで汲み出される。逆流分類ユニット７０からのオーバーフローは、さらなる液体サイクロン８６に移る前にさらなる脱水ふるい８２の水だめ８４に渡され得、液体サイクロン８６からのアンダーフローは、ふるい８２のデッキ８８に移り、ふるい８２のデッキ８８からの脱水された網上材料は、さらなる製品として収集される。
【００５４】
本発明は、本明細書で説明される実施形態に限定されるのではなく、添付の特許請求の範囲で定義される本発明の範囲から逸脱せずに修正されまたは変更され得る。
【図１】
2021519207.tif 000003
【図２】
2021519207.tif 000004
【図３】
2021519207.tif 000005
【図４】
2021519207.tif 000006
【図５】
2021519207.tif 000007
【図６】
2021519207.tif 000008
【図７】
2021519207.tif 000009
【図８】
2021519207.tif 000010
【国際調査報告】
2021519207.tif 000011
2021519207.tif 000012
2021519207.tif 000013